(57)【要約】      （修正有）【課題】糸切れ等で水中に残留することになっても環境負荷の少ない擬似餌を提供する。【解決手段】釣り用の擬似餌であるエギは、生分解性樹脂で形成されるエギ本体１と、鉛以外の金属で形成される錘部２と、道糸などと接続するための接続部３と、釣り針部分となるフック４とを備えており、錘部が、エギ本体に一体的に取り付けられており、エギ本体の下部からは錘部の一部が露出するように構成されている。【選択図】図１
0003235198.tif 000002
【実用新案登録請求の範囲】
【請求項１】
生分解性樹脂で形成される本体部と、
鉛以外の金属で形成される錘部とを備え、
前記本体部に前記錘部が一体的に取り付けられている
ことを特徴とする擬似餌。
【請求項２】
前記本体部から前記錘部の一部が露出している
ことを特徴とする請求項１記載の擬似餌。
【請求項３】
前記錘部は、前記本体部に内包され、前記本体部の内部において遊動可能になっている
ことを特徴とする請求項１記載の擬似餌。
【考案の詳細な説明】
【技術分野】
【０００１】
本考案は、釣り用の擬似餌に関する。
【背景技術】
【０００２】
釣り用の擬似餌（ルアー）は、様々な観点（形状や用途、動き等）で分類される。例えば、水中深くまで沈ませるルアーをシンキングルアー、水中の中間付近まで沈ませるルアーをサスペンドルアー、水面付近に浮上させるルアーをフローティングルアーと呼ぶことがあり、それぞれにおいて釣果を向上させる等の目的で種々の提案がなされている。一例をあげれば、特許文献１では、ルアー本体に浮力を持たせ、そのルアー本体から錘を突出させることにより、ルアーが傾いた状態からの復元力が増し、大きな振幅でかつ激しく、かつ安定した振動運動を実現する技術が開示されている。
【０００３】
シンキングルアーやサスペンドルアーのようにルアーを沈ませて対象魚の近くに導くためには、ルアー本体の一部に金属を含ませてルアーの自重により沈ませたり、ルアーに錘を付加することにより沈ませたりするなど、ルアーに一定の重量を付与する必要がある。フローティングルアーにおいても、沈ませるほどではなくても姿勢を安定させるための重量を付与する必要はある。ルアーに一定の重量を付与する際には、錘等を構成する金属として鉛が用いられることが多い。
【先行技術文献】
【特許文献】
【０００４】
【特許文献１】実用新案登録第３１３８６４３号公報
【考案の概要】
【考案が解決しようとする課題】
【０００５】
しかしながら、魚の引きや水中の障害物との接触等で糸切れが発生すると、ルアーは海底や川底などに残留してしまうことになり、鉛を含むルアーが海底や川底などに残留すると、鉛の毒性は有害であるため環境汚染を招いてしまうという問題がある。
【０００６】
そこで、本考案は、このような問題に鑑みなされたものであり、糸切れ等で水中に残留することになっても環境負荷の少ない擬似餌を提供することを目的とする。
【課題を解決するための手段】
【０００７】
上記課題を解決するために、本考案に係る擬似餌は、生分解性樹脂で形成される本体部と、鉛以外の金属で形成される錘部とを備え、前記本体部と前記錘部とが一体成型されていることを特徴とする。
【０００８】
これによれば、本体部が生分解性樹脂で形成され、錘部が鉛以外の金属で形成されているので、たとえ糸切れ等でルアーが水中に取り残されても、本体部は生分解により無害化され、錘部は有害性の低い金属製であるため、環境負荷の少ない擬似餌が実現可能となる。
【０００９】
ここで、前記本体部から前記錘部の一部が露出しているとしてもよく、前記錘部は、前記本体部に内包され、前記本体部の内部において遊動可能になっているとしてもよい。
【考案の効果】
【００１０】
以上のように、本考案に係る擬似餌によれば、生分解性樹脂で形成される本体と、鉛以外の金属で形成される錘部とで構成されているので、たとえ糸切れ等でルアーが水中に残留することになっても、本体部は生分解されて無害化され、錘部も有害性が低く環境汚染を招くおそれが少ないので、環境負荷の少ない擬似餌が実現可能となる。
【図面の簡単な説明】
【００１１】
【図１】本考案の第１実施形態のエギを示す斜視図である。
【図２】エギの構成を分解して示す図である。
【図３】エギ本体の側面図である。
【図４】本考案の第２実施形態のプラグを示す斜視図である。
【図５】プラグの構成を分解して示す図である。
【図６】プラグ本体内部の一例を示す図である。
【図７】プラグ本体内部の別の一例を示す図である。
【考案を実施するための形態】
【００１２】
以下、本考案の実施形態について図面を参照しながら説明する。
【００１３】
まず、本考案に係る擬似餌の第１実施形態としてエギを例に挙げて説明する。
【００１４】
図１は、本考案の第１実施形態のエギを示す斜視図である。
【００１５】
本実施形態のエギは、釣り用の擬似餌の一種であり、生分解性樹脂で形成されるエギ本体１と、エギ本体１に一体的に取り付けられた錘部２と、接続部３と、フック４とを備えている。
【００１６】
エギ本体１は、エギの本体部分を構成し、ポリエステル系樹脂などの生分解性樹脂（生分解性プラスチック）で形成されている。ここにいう生分解性樹脂は、微生物などによって分解し、最終的に水と二酸化炭素に完全に分解されるものをいう。土壌中のように大量に微生物（バクテリア等）が存在している環境下では生分解が進みやすいが、水中などでは微生物が少なく生分解が進みにくく、さらに、淡水よりも海水の方が生分解のペースが遅いといわれている。そのため、エギ本体１には、海水中における生分解性に優れている海洋生分解性プラスチックを用いるのが好ましい。
【００１７】
また、エギ本体１は、集魚効果を高める等の観点から顔料で色付けされることがある。このとき、エギ本体１の色付けに用いる顔料として生分解性顔料を用いるのが好ましい。エギ本体１の色付けにおいても生分解性顔料を用いることにより、エギが水中に取り残された場合でも、生分解されるので環境汚染を抑止することができる。
【００１８】
このエギ本体１には、錘部２が一体的に取り付けられ、エギ本体１の先端近くの下部から錘部２が露出するように構成されている。
【００１９】
錘部２は、エギ本体１を水中に沈ませるための錘部で、金属で構成されており、エギ本体１に取り付けられている。錘部２で用いられる金属は、鉛以外の金属であり、具体的には鉄や亜鉛、タングステンなど、また、鉛を含まないこれらの合金である。これらの金属は鉛に比して環境負荷が著しく少ない。このような金属で錘部２を構成することにより、エギが糸切れ等で水中に残留することになっても環境への負荷を少なくすることができる。
【００２０】
エギ本体１の先端には、道糸などと接続するための接続部３も形成されている。なお、ここに示す接続部３は、エギ本体１の先端から突出した構成で示しているが、接続部３の形態はこれに限られず、例えば、エギ本体１の先端近くに貫通孔を形成したものであってもよい。
【００２１】
また、エギ本体１の後端には、釣り針部分となるフック４が取り付けられている。
【００２２】
接続部３およびフック４も、錘部２と同様に、鉛以外の金属で構成されており、水中に残留することになっても環境への負荷ができるだけ少なくなるようにしている。
【００２３】
図２はエギの構成を分解して示す図であり、図３はエギ本体１の正面図である。なお、図３では、エギ本体１と錘部２のみを示している。
【００２４】
図２に示すように、エギ本体１は、縦方向の左右に分割されたエギ本体パーツ１１と、エギ本体パーツ１２とで構成されている。左右に分割されたエギ本体パーツ１１とエギ本体パーツ１２との間に、接続部３およびフック４を挟み、エギ本体パーツ１１とエギ本体パーツ１２とを接着剤や超音波により溶着することでエギ本体１は形成される。なお、エギ本体１の内部は、エギに浮力を与えるため大部分が空洞となっている。
【００２５】
このとき、エギ本体１の下部には、錘部２を取り付けるための凹部である錘収納部１３が形成されており、この錘収納部１３に錘部２が固定されるようになっている。具体的には、錘収納部１３に錘部２を嵌め入れて接着剤とステンレス等の金属製のピンで固定するように構成されている。
【００２６】
このようにして、錘部２はエギ本体１に一体的に取り付けられる。
【００２７】
なお、ここでは、エギ本体１の先端近くの下部から錘部２が露出する構成のエギを示しているが、エギ本体１に錘部２が内包される構成としてもよい。
【００２８】
このように、本実施形態のエギによれば、生分解性樹脂で形成されるエギ本体と、鉛以外の金属で形成される錘部とで構成されているので、仕掛けの糸切れ等でエギが水中に残留することになっても、エギ本体は生分解され、錘部は有害性が低く環境汚染を招くおそれが少ないので、環境負荷の少ないエギを実現することができる。
【００２９】
続いて、本考案の第２実施形態としてプラグを例に挙げて説明する。
【００３０】
図４は第２実施形態のプラグを示す斜視図である。
【００３１】
本実施形態のプラグは、釣り用の擬似餌の一種であり、生分解性樹脂で形成されるプラグ本体５と、プラグ本体５に一体的に取り付けられた錘部６と、接続部８と、フック７とを備えている。
【００３２】
プラグ本体５は、プラグの本体部分を構成し、上記第１実施形態のエギ本体１と同様に生分解性樹脂で形成されている。
【００３３】
錘部６は、プラグ本体５を水中に沈ませるための錘部で、上記実施形態の錘部２と同様に環境負荷の少ない金属で形成されている。
【００３４】
プラグ本体５の先端には、上記第１実施形態の接続部３と同様の接続部８も形成されており、プラグ本体５の下方と後端には、釣り針部分となるフック７がそれぞれ取り付けられている。上記第１実施形態の場合と同様に、接続部８およびフック７も、錘部６と同様に、鉛以外の金属で構成されており、水中に残留することになっても環境への負荷をなるべく少なくするように配慮されている。
【００３５】
また、プラグ本体５も、集魚効果を高める等の観点から顔料で色付けされることがあるので、上記第１実施形態のエギと同様に、プラグ本体５の色付けに用いる顔料としては生分解性顔料を用いるのが好ましい。
【００３６】
上記第１実施形態と同様に、錘部６も、プラグ本体５に一体的に取り付けられて構成されている。
【００３７】
図５はプラグの構成を分解して示す図であり、図６はプラグ本体内部の一例を示す図である。ここに示すのは、錘部６がプラグ本体５内に固定的に取り付けられている例である。
【００３８】
図５に示すように、プラグ本体５は、縦方向の左右に分割されたプラグ本体パーツ１４と、プラグ本体パーツ１５とで構成されている。左右に分割されたプラグ本体パーツ１４とプラグ本体パーツ１５との間に、接続部８およびフック７を挟み、プラグ本体パーツ１４とプラグ本体パーツ１５とを接着剤や超音波により溶着することでプラグ本体５は製造される。
【００３９】
このとき、プラグ本体５内で錘部６を収納するための空洞である錘収納部９に錘部６を入れておき、接続部８およびフック７と同様に、分割されたプラグ本体パーツ１４とプラグ本体パーツ１５との間に挟んで溶着することで、錘収納部９に錘部６が固定されるようになっている。
【００４０】
このようにして、錘部６はプラグ本体５に固定的に取り付けられており、プラグ本体５内の錘収納部９に固定されている。なお、プラグ本体５の内部も、上記エギの場合と同様に、プラグに浮力を与えるため大部分が空洞となっている。どの程度を空洞とするかは、プラグに付与する動きやターゲットとなる対象魚の層や錘の重量などに応じて適宜設定される。例えば、フローティングルアーであれば、重力よりも浮力が強い状態となるので空洞を多くする傾向にあり、シンキングルアーであれば、浮力よりも重力が強い状態となるので空洞を少なくしたり錘を重くしたりすることになる。なお、サスペンドルアーは浮力と重力とが均衡した状態といえる。
【００４１】
図７は、プラグ本体内部の別の一例を示す図である。ここに示すのは、錘部６がプラグ本体５内で遊動可能に取り付けられている例である。
【００４２】
図７に示すように、錘部６はプラグ本体５内の錘収納部１０を遊動可能に取り付けられている。錘収納部１０は、プラグ本体５内部の空洞部分の一つであり、空洞である錘収納部１０内を錘部６が遊動することで、水中におけるプラグのアクションにバリエーションを付与することができる。なお、プラグ本体５内で錘部６を遊動可能に取り付ける場合も、錘部６が遊動する空間を有する空洞である錘収納部１０に錘部６を入れておき、分割されたプラグ本体パーツ１４とプラグ本体パーツ１５とを溶着することでプラグ本体５は形成される。
【００４３】
このように、第２実施形態のプラグによれば、生分解性樹脂で形成されるプラグ本体と、鉛以外の金属で形成される錘部とで構成されているので、水中に残留しても、プラグ本体は生分解され、錘部の有害性は低く環境を汚染する危険性も少ないので、環境負荷の少ないプラグが実現可能となる。
【００４４】
なお、ここでは、プラグ本体５に錘部６が内包される構成を示したが、プラグ本体５から錘部６が露出する構成であってもよい。例えば、使用態様として海底や河底に着底させずに引くという態様が多いプラグであれば、錘部６が露出する構成とするよりも内包する構成の方が好ましい。使用態様として海底や河底に着底させる等してイレギュラーな動きをさせる態様が多いプラグであれば、錘部６が露出する構成としてもよい。
【００４５】
一方、エギの使用態様は海底や河底に着底させる態様であることからすれば、上記第１実施形態で示した錘部２が露出する構成とする方が好ましい。というのは、露出した錘部が着底したとき、生分解性樹脂製の本体部よりも金属製の錘部の方が海底や河底の状況を感知しやすい。そのため、海底や河底の状況を感知する使用態様であれば本体部から錘部の一部を露出させる構成とする方が、釣果の点で好ましいからである。また、エギの使用態様は水中にゆっくりと沈ませるものであり、内部を空洞として浮力を与えつつ錘部の重力で沈ませていくうえで、本体部から錘部の一部を露出させる構成の方が浮力と重力のバランスを図ることができて好ましいともいえる。
【００４６】
したがって、擬似餌の使用態様などに応じて、錘部を本体部に内包する構成とするか、錘部を本体部から露出する構成とするかを適宜設定すればよいといえる。
【００４７】
また、錘部を本体部に内包する構成とする場合も、錘部を本体部の内部で固定的に保持する構成とするか、錘部を本体部の内部で非固定的に保持する、すなわち、遊動可能な状態で保持する構成とするかについても、擬似餌の使用態様などに応じて、適宜設定すればよいといえる。そして、錘部を本体部の内部で遊動可能な状態で保持する構成を許容することから、「錘部が本体部に一体的に取り付けられている」というのは、必ずしも錘部が本体部に固定的に取り付けられていることのみを意味するものではなく、非固定的に取り付けられている場合も含むものであるということができる。
【００４８】
以上、本考案に係る擬似餌について、各実施の形態に基づいて説明したが本考案はこれに限定されるものではなく、本考案の目的を達成でき、かつ考案の要旨を逸脱しない範囲内で種々設計変更が可能であり、それらも全て本考案の範囲内に包含されるものである。
【００４９】
例えば、上記実施形態では、エギやプラグを例に上げて説明したが、錘付きの擬似餌であれば、テンヤ等の他の擬似餌であってもよい。
【産業上の利用可能性】
【００５０】
本考案は、釣り用の擬似餌等に適用可能である。
【符号の説明】
【００５１】
１  エギ本体
２，６  錘部
３，８  接続部
４，７  フック
５  プラグ本体
９，１０，１３  錘収納部
１１，１２  エギ本体パーツ
１４，１５  プラグ本体分割パーツ
【図１】
0003235198.tif 000003
【図２】
0003235198.tif 000004
【図３】
0003235198.tif 000005
【図４】
0003235198.tif 000006
【図５】
0003235198.tif 000007
【図６】
0003235198.tif 000008
【図７】
0003235198.tif 000009